【手続補正書】
【提出日】平成20年9月3日(2008.9.3)
【手続補正１】
【補正対象書類名】明細書
【補正対象項目名】０００９
【補正方法】変更
【補正の内容】
【０００９】
本発明の記録装置は、上記光記録媒体に対してデータ記録を行う記録装置であり、上記光記録媒体に対してデータ記録を行う記録手段と、上記調整用記録領域に対して上記調整用データを上記記録手段に記録させる制御手段とを備える。
また上記制御手段は、上記調整用記録領域に対して上記調整用データを上記記録手段に記録させた場合、その記録に応じて、上記判別情報記録領域に上記記録済判別情報を上記記録手段に記録させる。
また上記制御手段は、上記判別情報記録領域における上記記録済判別情報により、上記各記録層の上記調整用記録領域の記録状態を判別し、当該判別結果に基づいて、全部又は一部の記録層における上記調整用記録領域に対して上記調整用データを上記記録手段に記録させる。
【手続補正２】
【補正対象書類名】明細書
【補正対象項目名】００４４
【補正方法】変更
【補正の内容】
【００４４】
一方、プリレコーデッド情報領域ＰＲにおいては、管理情報の信頼性を高めるため、また、どの層においてもアクセス性を高めるため、第１層Ｌ０、第２層Ｌ１とも、同じ情報が記録される。
【手続補正３】
【補正対象書類名】明細書
【補正対象項目名】００４９
【補正方法】変更
【補正の内容】
【００４９】
第ｎの記録層Ln-1は、第２の記録層L１と同様のディスクレイアウトである。第ｎの記録層Ln-１には、第２の記録層L１と同様の理由で、ＢＣＡに対する記録は行わない。
またプリレコーデッド情報領域ＰＲについては、管理情報の信頼性を高めるため、また、どの層においてもアクセス性を高めるため、第１層Ｌ０、第２層Ｌ１・・・第ｎ層Ln-1とも同じ情報を記録してある。
【手続補正４】
【補正対象書類名】明細書
【補正対象項目名】００７８
【補正方法】変更
【補正の内容】
【００７８】
グルーブのウォブリングに係る信号としてマトリクス回路５４から出力されるプッシュプル信号は、ウォブル回路５８において処理される。ＡＤＩＰ情報としてのプッシュプル信号は、ウォブル回路５８においてＡＤＩＰアドレスを構成するデータストリームに復調されてアドレスデコーダ５９に供給される。
アドレスデコーダ５９は、供給されるデータについてのデコードを行い、アドレス値を得て、システムコントローラ６０に供給する。
またアドレスデコーダ５９はウォブル回路５８から供給されるウォブル信号を用いたＰＬＬ処理でクロックを生成し、例えば記録時のエンコードクロックとして各部に供給する。
【手続補正５】
【補正対象書類名】明細書
【補正対象項目名】００８４
【補正方法】変更
【補正の内容】
【００８４】
スピンドルサーボ回路６２はスピンドルモータ２を例えばＣＬＶ回転させる制御を行う。
スピンドルサーボ回路６２は、ウォブル信号に対するＰＬＬ処理で生成されるクロックを、現在のスピンドルモータ５２の回転速度情報として得、これを所定のＣＬＶ基準速度情報と比較することで、スピンドルエラー信号を生成する。
またデータ再生時においては、リーダ／ライタ回路５５内のＰＬＬによって生成される再生クロック（デコード処理の基準となるクロック）が、現在のスピンドルモータ５２の回転速度情報となるため、これを所定のＣＬＶ基準速度情報と比較することでスピンドルエラー信号を生成することもできる。
そしてスピンドルサーボ回路６２は、スピンドルエラー信号に応じて生成したスピンドルドライブ信号を出力し、スピンドルモータ５２のＣＬＶ回転を実行させる。
またスピンドルサーボ回路６２は、システムコントローラ６０からのスピンドルキック／ブレーキ制御信号に応じてスピンドルドライブ信号を発生させ、スピンドルモータ５２の起動、停止、加速、減速などの動作も実行させる。
【手続補正６】
【補正対象書類名】明細書
【補正対象項目名】００８９
【補正方法】変更
【補正の内容】
【００８９】
ところで、この図１５の例は、ＡＶシステム１２０に接続されるディスクドライブ装置としたが、本発明のディスクドライブ装置としては例えばパーソナルコンピュータ等と接続されるものとしてもよい。
さらには他の機器に接続されない形態もあり得る。その場合は、操作部や表示部が設けられたり、データ入出力のインターフェース部位の構成が、図１５とは異なるものとなる。つまり、ユーザーの操作に応じて記録や再生が行われるとともに、各種データの入出力のための端子部が形成されればよい。
もちろん構成例としては他にも多様に考えられ、例えば記録専用装置、再生専用装置としての例も考えられる。
【手続補正７】
【補正対象書類名】明細書
【補正対象項目名】００９２
【補正方法】変更
【補正の内容】
【００９２】
このような光学系においては、対物レンズ８４については二軸機構９１によってフォーカス方向及びトラッキング方向に移動可能に支持されており、フォーカスサーボ、トラッキングサーボ動作が行われる。
またエキスパンダレンズ８７は、レーザ光の径を可変する機能を持つ。即ちエキスパンダレンズ８７はアクチュエータ９０によって光軸方向であるＪ方向に移動可能とされており、この移動によって、エキスパンダレンズ８７と対物レンズ８４の間の距離が可変され、ディスク１に照射されるレーザ光の径が調整される。
つまり、アクチュエータ９０に対して前後移動を実行させる制御を行うことで、球面収差調整を実行させることができる。
【手続補正８】
【補正対象書類名】明細書
【補正対象項目名】００９８
【補正方法】変更
【補正の内容】
【００９８】
球面収差調整値設定部２０は球面収差調整機構による球面収差調整値が設定される。設定された球面収差調整値はＤ／Ａ変換器２５によってアナログ信号とされ、球面収差調整ドライバ２６に供給される。
球面収差調整ドライバ２６は、例えば図１６のような球面収差調整機構の場合は、エキスパンダレンズ８７を移動させるアクチュエータ９０に駆動信号Ｓｄを供給する回路とされる。また、図１７のような球面収差調整機構の場合は、液晶ドライバ９２に対して、液晶パネル８９の所要のセルに電圧印加を指示する信号Ｓｄを供給する回路とされる。
従って、球面収差調整ドライバ２６が、球面収差調整値設定部２０から供給された球面収差調整値に基づいて、ピックアップ５１内の球面収差調整機構を駆動する構成となる。
【手続補正９】
【補正対象書類名】明細書
【補正対象項目名】０１０５
【補正方法】変更
【補正の内容】
【０１０５】
フォーカス状態、即ちフォーカスバイアスの調整は次のように行われる。
システムコントローラ６０は、フォーカスサーボをオンとし、ディスク１のプリライトエリアに対しての再生動作を実行させる。このとき、サーボ回路６１内の設定制御部１７に指示してフォーカスバイアス値を段階的に変化させるとともに、各フォーカスバイアス値の状態において評価値計算部３５で得られるジッタ値を観測する。
フォーカスバイアス値によって、ジッタ値は図２０のように変動する。ジッタ値が最小となるポイントがフォーカスバイアスとしての最適値である。即ちシステムコントローラ６０は、フォーカスバイアス値を変化させてジッタ値を観測しながら、ジッタ値が小さくなる方向にフォーカスバイアス値を収束させていくことで、最適なフォーカスバイアス値を検出することができる。
或る記録層におけるプリライトエリアを再生しながら、以上のような動作で検出したフォーカスバイアス値は、その記録層に対するフォーカス調整値として不揮発性メモリ１８に記憶させる。
なお、評価値としては、ジッターのかわりに、データのエラーレートや、エラーレートのかわりとなる指標値として、例えばＰＲＭＬ復号処理の際に得られるＳＡＭ評価値（ＳＡＭジッタ）などを用いても良い。
【手続補正１０】
【補正対象書類名】明細書
【補正対象項目名】０１０６
【補正方法】変更
【補正の内容】
【０１０６】
球面収差調整は次のように行われる。
球面収差調整は例えば図１６のエキスパンダレンズ８７と対物レンズ８４の間の距離の調整として行われる。図２１（ａ）（ｂ）（ｃ）に、ディスク１の記録層Ｌ０，Ｌ１，Ｌ２に対するレーザ光の収束状態を模式的に示している。
ディスク１を記録再生する際、レーザ光はディスク１のカバー層ＣＶＬを介して、記録層に収束する。例えば３層ディスクを例に挙げると、第１層Ｌ０からみれば第２層Ｌ１、第３層Ｌ２及びそれらの中間層もカバー層とみなされる。このため図示するように、第１層Ｌ０にとってはカバー層ＣＶＬが厚く、第２層Ｌ１、第３層Ｌ２は、徐々にカバー層ＣＶＬが薄くなるといえる。
各記録層毎の球面収差の調整は、このように、レーザ光が入射するカバー層の厚みが異なることによって必要となるものである。
エキスパンダレンズ８７を移動させ、エキスパンダレンズ８７と対物レンズ９１の間の距離を調整することにより、レーザ光の口径をかえることができ、これにより、球面収差量をかえることができる。
図２１（ｄ）に示すように、球面収差の影響は再生信号振幅に現れるため、システムコントローラ６０は、エキスパンダレンズ８７の位置を変化させながら、評価値計算部３５で観測される再生信号振幅を測定し、エキスパンダレンズ８７の位置を最大の再生信号振幅が得られるポイントに調整すればよい。
もちろん図１７のような球面収差調整機構の場合は、液晶パネル８９に対する最適な駆動信号を、再生信号振幅を監視しながら探せばよい。
或る記録層におけるプリライトエリアを再生しながら、以上のような動作で検出した球面収差調整値（例えばエキスパンダレンズ８７の制御位置の設定値）は、その記録層に対する球面収差調整値として不揮発性メモリ１８に記憶させる。
なお、この場合の評価値としても、再生信号振幅のかわりに、データのエラーレートやＳＡＭ評価値などを用いても良い。
【手続補正１１】
【補正対象書類名】明細書
【補正対象項目名】０１１５
【補正方法】変更
【補正の内容】
【０１１５】
なお、このとき、例えば第１層Ｌ０など、特定の記録層のプリライトエリアの調整用データを再生させて、その特定の記録層についてのみフォーカスバイアス値と球面収差調整値を調整しても良いし、複数の記録層に対して順次フォーカスバイアス値と球面収差調整値を調整してもよい。
特定の記録層のみについて調整する場合は、その後記録再生を行おうとする記録層に対して行ない、フォーカスバイアス値と球面収差調整値を最適値にセットした状態とすればよい。
また全ての記録層について調整する場合は、例えばまず第１層Ｌ０のプリライトエリアを再生させながらフォーカスバイアス値と球面収差調整値を調整し、その調整値を第１層Ｌ０に対する最適値として不揮発性メモリ３２に記憶し、次に第２層Ｌ１のプリライトエリアを再生させながらフォーカスバイアス値と球面収差調整値を調整し、その調整値を第２層Ｌ１に対する最適値として不揮発性メモリ１８に記憶し、・・・というように順次最適値を検出して記憶していく。そして、全記録層について調整が完了した時点で、これから記録再生を行おうとする記録層に応じた最適値をセットすればよい。
【手続補正１２】
【補正対象書類名】明細書
【補正対象項目名】０１２０
【補正方法】変更
【補正の内容】
【０１２０】
なお、記録或いは再生の過程で、記録層の移行が発生する場合は、フォーカスバイアス値と球面収差調整値は、その新たな記録層に適した値に切り換えられる。例えば図２４のステップＦ１３３での調整が、全ての記録層について行われていれば、記録層を移行する時点で、不揮発性メモリ１８に記憶された、移行先の記録層の最適値に、フォーカスバイアス値と球面収差調整値が切り換えられればよい。
もしステップＦ１３３の時点で、移行先の記録層についての調整が行われていないのであれば、移行する時点で、移行先の記録層のプリライトエリアを用いて、フォーカスバイアス値と球面収差調整値の調整を実行する。